Podtech/llm-jp-corpus-v4-ja_patent huggingface dataset:
(57)【要約】【課題】石鹸の水切れ乾燥を良くし、また、水分による溶融を防ぐとともに、石鹸の雫（石鹸液）や粘土の高い溶融状石鹸液のヌメリが直接浴室の床のタイル上へ流れ落ちることを防ぎ、石鹸液による浴室内での転倒防止にも貢献できる石鹸箱を提供する。【解決の手段】蓋と受けからなり、蓋の口元の周囲に等間隔で水切り及び通気用の切り欠きを設け、受けの外周にはフランジを、更に底部には等間隔で水切り及び通気用の凹凸とその凹部には孔を設け、使用時には蓋を裏返しにし、受けのフランジで蓋を前後左右ガタなくガイドさせ、蓋を受け皿として使用する事を特徴とした石鹸箱。【選択図】図３
2005058685.tif 000002
【特許請求の範囲】
【請求項１】
本考案は蓋と受けからなり、蓋の口元の周囲に等間隔で水切り及び通気用の切り欠きを設け、受けの外周にはフランジを、更に底部には等間隔で水切り及び通気用の凹凸とその凹部には孔を設け、使用時には蓋を裏返しにし、受けのフランジで蓋を前後左右ガタなくガイドさせ、蓋を受け皿として使用する石鹸箱。
【発明の詳細な説明】
【技術分野】
【０００１】  本発明は、蓋と受けからなり、蓋の口元の周囲に等間隔で水切り及び通気用の切り欠きを設け、受けの外周にはフランジを、更に底部に水切り及び通気用の凹凸とその凹部には孔を設けた石鹸箱に関するものである。
【技術背景】
【０００２】  従来、受けの底部のみに等間隔で水切り及び通気用の凹凸とその凹部には孔を設けたものや、蓋と受けの間に複雑な形状をした水切り及び通気用スノコを追加した石鹸箱があった。
【発明の開示】
【発明が解決しようとする課題】
【０００３】  そのために、次のような問題点があった。
（イ）石鹸の雫（石鹸液）や溶融状石鹸液のヌメリが、直接浴室内のタイル上に流れ落ち、浴室内の床のタイルが滑って幼児や高齢者が転倒しやすい等の危険があった。
（ロ）従来の、受けの外周にフランジを底部に等間隔で水切り及び通気用の凹凸とその凹部には孔を設けたものへ、更に従来の蓋を裏返しにし受け皿がわりに使用すると受け皿に水が溜まってしまい、また、受けの底部も水に浸ってしまうため、石鹸が溶けてしまう問題があった。
（ハ）蓋と凹凸や孔のあいた受けの間に、複雑な形状をした水切り及び通気用スノコを追加したものは、部品点数も多く製造コストがかかっている為、需要者の負担が大きかった。
（ニ）蓋と受け、又は、蓋、スノコ、受け、からなる石鹸箱が多いが、蓋は浴室で使う際不必要であり、石鹸の持ち運び位しか使用されずムダが多かった。
本発明は、これらの問題点を解決するためになされたものである。
【課題を解決するための手段】
【０００４】  受けは外周にフランジを、更に底部に等間隔で水切り及び通気用の凹凸とその凹部には孔を設けたものであるが、本発明は、受けと組み合わせる蓋の口元の周囲に等間隔で水切り及び通気用の切り欠きを設けた事を特徴とした石鹸箱。
【発明の効果】
【０００５】（イ）石鹸の雫（石鹸液）や溶融状石鹸液のヌメリが、受け皿となった蓋に溜まり直接浴室内のタイル上に流れ落ちず、浴室内の床のタイルは滑りにくくなり安全である。
（ロ）石鹸の雫（石鹸液）や溶融状石鹸液のヌメリが、受け皿となった蓋に一度溜まり蓋の口元に等間隔で設けた水切り及び通気用の切り欠よりあふれ出したとしても、滑りやすい溶融状石鹸液のヌメリ等は蓋の底に沈殿し、比較的滑りにくい上澄みの水だけが蓋の口元の切り欠きより浴室内のタイル上に流れ出すため、従来からある石鹸液が直接床に流れ落ちてしまうものに比べ浴室内の床のタイルは、はるかに滑りにくい。
（ハ）石鹸は水に浸る事もなくたえず水切りが出来る為、溶融する事もなく乾燥状態を保つ事が出来る。
（ホ）既存の石鹸箱と同様、蓋と受けから成り、蓋の口元の周囲に等間隔で水切り及び通気用の切り欠きを設けたのみの、きわめてシンプルな構造であるため、製造側のコストも極力押さえることができ、その結果、需要者の負担も少なくて済む。
【発明を実施するための最良の形態】
【０００６】  以下、本発明の実施の形態について説明する。
（イ）蓋（１）と受け（２）からなる石鹸箱である。
（ロ）蓋（１）の口元の周囲に等間隔で水切り及び通気用の切り欠き（３）を設ける。
（ハ）受け（２）には、フランジ（４）を外側全周にわたり設け、底部には、等間隔で内面の側壁から側壁まで凹部（５）と凸部（６）を形成し凹部（５）には、水切り用の孔（７）を設ける。
（ニ）受け（２）の凸部（６）上に石鹸（８）をのせる。
本発明は以上のような構成で、これを使用するときには、蓋（１）を裏返しにし、蓋（１）の上に、受け（２）をのせ、受け（２）のフランジ（４）で蓋（１）を前後、左右にガタなくガイドさせ、受け（２）の中に石鹸（８）を入れる。
石鹸（８）は、受け（２）底部の凹部（５）と凸部（６）で水切りされ、流れ落ちた石鹸水は、凹部（５）の孔（７）を通って蓋（１）内へ流れ落ちる。
石鹸水の粘土の高い溶融状石鹸液（ヌメリ）（９）は、蓋（１）の底部に溜まり、もし、蓋（１）より上澄みの水（１０）があふれ出た場合、切り欠き（３）より蓋（１）の外へ流れ出るため、絶えず石鹸（８）と受け（２）底部の凹部（５）には、水面との空間（Ｈ）があくため、石鹸（８）は溶融することなく乾燥が保て、また、石鹸（８）から流れ落ちる粘土の高い溶融状石鹸液（ヌメリ）（９）は、蓋（１）の底に沈殿し浴室内のタイル上へ流れ出しにくくタイルがすべり易くなる事を防ぐ。
蓋（１）の底に溜まった粘土の高い溶融状石鹸液（ヌメリ）（９）は、石鹸（８）と受け（２）を取り外し、床のタイルが滑らないよう排水口へ捨て流す。
【実施例】
【０００７】  図４に示すように蓋（１）の切り欠き（３）の代わりに蓋（１）に孔（１１）を設けてもよい。
蓋（１）の孔（１１）が通気とあふれ出た水を流す役目をはたし、石鹸（８）を溶融から守ると同時に粘土の高い溶融状石鹸液（ヌメリ）（９）を蓋（１）の底部に沈殿させておくことができるため、浴室内の床のタイルを滑りにくくできる。
【図面の簡単な説明】
【０００８】
【図１】本発明の横断面図
【図２】本発明に石鹸を収納、運搬する際の側面透視図
【図３】本発明の使用状況を示した側面透視図
【図４】本発明の他の実施例を示す横断面図
【符号の説明】
【０００９】１    蓋
２    受け
３    切り欠き
４    フランジ
５    凹部
６    凸部
７    孔
８    石鹸
９    溶融状石鹸液
１０  上澄みの水
１１  孔
Ｈ    受けの凹部と水面との空間
【図１】
2005058685.tif 000003
【図２】
2005058685.tif 000004
【図３】
2005058685.tif 000005
【図４】
2005058685.tif 000006
(57)【要約】【課題】  付け爪自体に宝石と呼ばれるまでの不可価値を付ける。また現在の付け爪は図案を描き添えたものの為剥離する恐れがある。その上簡単に誰でもが自宅で付け爪を着脱出来にくい。【解決手段】  アコヤ貝・サザエ・鮑・黒チョウ貝そして白チョウ貝などの天然の輝きのある貝を使用し、天然貝の持つ光沢を引き出し、宝石の輝きを放つ付け爪に仕上げる。天然光沢貝の付け爪は、従来ネイリストに頼らなくても、そのもの自体に光沢があるため接着と剥離が出来る液があれば自宅で装着したり取り外す事が出来る。【選択図】  図１
2005058640.tif 000002
【特許請求の範囲】
【請求項１】
本付け爪はプラスチクなど人工的に合成された物で形成されておらず、全て天然の光沢貝を使用し、それぞれの貝を爪の形状に削り出し、磨きをかけ、付け爪自体に宝石としての価値を与えた天然光沢貝の付け爪。
【発明の詳細な説明】
【技術分野】
【０００１】
本発明は、天然の光沢が有る貝から削り出した付け爪
【背景技術】
【０００２】
従来の付け爪はプラスチックなどの人工物で出来ている。その物自体には多彩なカラーバリエーションが人工的に創り出されている。が、人の目を引付けるほどの輝きは無い。ネイリストが付け爪の加工から絵付まで行い、単なるプラスチックの付け爪を芸術的なレベルまでに高めている。
【０００３】
しかし、付け爪自体にその価値はほとんど無く消耗品止まりである。また一端付け爪を装着してしまうと、描かれた模様の管理や付け爪自体の取り外しといった取り扱いに、購入者自身の大変な気遣いが必要となる。
【発明の開示】
【発明が解決しようとする課題】
【０００４】
ネイリストによる指先へ装着するための最終加工調整技術は必要とするものの、デザイン技術に頼らなくとも、付け爪自体に「宝石の付け爪」と呼ばれるまでの不可価値を付けたい。また簡単に誰でもが場所と時間を選ばず、付け爪を装着できたり取り外せることが出来る天然光沢の付け爪に仕上げてみたい。
【課題を解決するための手段】
【０００５】
天然の光沢を持つ付け爪《以降、パールネイルと呼ぶ》は天然のアコヤ貝・サザエ・鮑・黒チョウ貝そして白チョウ貝など、その物自体に天然の輝きのある殻から爪の形状にほぼ近い厚さにまで削り出す。どの爪にも多少の反り（アール）は存在するが、研磨技術により、装着時に違和感が無いまでに調整を施す。爪の幅や長さ・反り・色合いなどは、天然光沢貝を使用しているため、製作時間をかけて調整し出来上がる。
【発明の効果】
【０００６】
天然の光沢貝を使用することで、付け爪自体に宝石としての不可価値を見出せるレベルにまで高めることが出来る。また芸術的なセンスが必要とされるネイリストによるデザインといった特殊技術があまり必要とされず、誰でもが装着や取り外すための液が有れば、誰もが場所と時間を選ばずに使用可能である。
【発明を実施するための最良の形態】
【０００７】
パールネイルは、「宝石の付け爪」となりえる光沢の最良の部分を使用し、厚みを考慮しながら爪の形状に削り出す。削り出す際には、天然の傷や破損を考慮しながら、装着した際に違和感を感じないレベルにまで薄く形成する必要がある。また単に薄くしてしまうと、破損の原因や光沢部分を削ってしまうため、高度の研磨技術が必要とされる。
【実施例１】
【０００８】
爪の表面に専用の接着剤で発明した天然光沢貝の付け爪を装着する。
【産業上の利用可能性】
【０００９】
アコヤ貝・鮑・サザエをはじめ、あらゆる光沢の有る貝の殻は、この研磨技術を用いる事で商品化につなげることが出来れば、地域の活性化を図る技術として活用されることとなる。
【図面の簡単な説明】
【００１０】
【図１】付け爪側面図
【図２】付け爪正面図
【符号の説明】
【００１１】
１  天然光沢貝の付け爪
２  人の指
【図１】
2005058640.tif 000003
【図２】
2005058640.tif 000004
(57)【要約】【課題】両側腸骨翼下部から恥骨結合に向けて力を加えて固定する形式は、仙腸関節の緩みや離開に伴う痛みの緩和に問題があった。【解決手段】  挿通孔２は、左臀部帯片３のほぼ中央左側に設けられた孔であり、右骨盤帯片６が挿通可能な状態になっている。挿通孔２を挿通した右骨盤帯片６は、着脱可能な状態になっており、体形に合わせて、図２のように中間骨盤帯片４の一部で止められるようになっている。一方の左骨盤帯片１も右骨盤帯片６と逆向きで人体に巻きつき中間骨盤帯片４の一部で止められるようようになっている。左骨盤帯片１及び右骨盤帯片６をそれぞれ引っ張ることで、人体の恥骨結合部１３から左右の仙腸関節下部７に向かって締め付けて固定することが可能となる。【選択図】図１
2005058539.tif 000002
【特許請求の範囲】
【請求項１】
人体の恥骨の上縁部より２乃至３センチメートル上方の体表部を覆う４乃至６センチメートルの幅にした骨盤固定帯。
【請求項２】
人体の上前腸骨棘と大転子の間の体表部から仙腸関節下部の体表部までを覆う５乃至１１センチメートルの幅にした骨盤固定帯。
【請求項３】
人体の恥骨の上縁部の体表部で着脱可能な骨盤固定帯であって、臀部に当たる部分で一方の骨盤帯片に設けられた挿通孔に他方の骨盤帯片が通る骨盤帯片を備えた請求項１記載の骨盤固定帯。
【請求項４】
人体の恥骨の上縁部の体表部で着脱可能な骨盤固定帯であって、臀部に当たる部分で一方の骨盤帯片に設けられた挿通孔に他方の骨盤帯片が通る骨盤帯片を備えた請求項２記載の骨盤固定帯。
【請求項５】
人体の恥骨結合部から左右の仙腸関節下部に向かって力を加えて締め付けて固定する骨盤固定帯の固定方法。
【発明の詳細な説明】
【技術分野】
【０００１】
本発明は、妊娠中及び出産後において腰痛等を発症する女性の症状を軽減させる骨盤固定帯に関する。
【背景技術】
【０００２】
直立二足歩行をする人間の骨盤には、全体重がかかっている。直立二足歩行を行い、体格に比較して大きな赤ちゃんを娩出する人間には、妊娠・出産期に生理的な骨盤の緩みが必要不可欠である。妊娠・出産に伴い生じる骨盤の緩みは、妊娠性のホルモンの働きで関節を繋いでいる靭帯に弛みが生じるために起きて、分娩が終わると復古回復していくものである。妊娠・出産期には、全体重がかかっている骨盤が妊娠性のホルモンの働きで緩むために、腰痛、腰痛及び下肢痛、殿部痛並びに殿部痛及び大腿部痛の痛みで苦しむ女性が多い。
【０００３】
そのような痛みを抑止するための対策として、左右の仙腸関節下部、両側腸骨翼下部と大転子の間、恥骨の上縁部を幅４乃至８ｃｍのベルトで固定すると効果的である。このベルトの基本的な幅と締め付ける位置は、実用新案第３０３７７７２号に開示の腰腹部固定帯がある。
【特許文献１】登録実用新案第３０３７７７２号公報
【発明の開示】
【発明が解決しようとする課題】
【０００４】
従来の腰腹部固定帯は、両側腸骨翼下部から恥骨結合に向けて力を加えて固定する形式のため、恥骨結合の緩みや離開に伴う痛みには効果的であったが、仙腸関節の緩みや離開に伴う痛みの緩和には問題があった。
【課題を解決するための手段】
【０００５】
上記の問題を解決するために、第一の発明は、人体の恥骨の上縁部より２乃至３センチメートル上方の体表部を覆う４乃至６センチメートルの幅にしたことを特徴とする骨盤固定帯である。
【０００６】
第二の発明は、人体の上前腸骨棘と大転子の間の体表部から仙腸関節下部の体表部までを覆う５乃至１１センチメートルの幅にしたことを特徴とする骨盤固定帯である。
【０００７】
第三の発明は、人体の恥骨の上縁部の体表部で着脱可能な骨盤固定帯であって、臀部に当たる部分で一方の骨盤帯片に設けられた挿通孔に他方の骨盤帯片が通る骨盤帯片を備えたことを特徴とする骨盤固定帯である。
【０００８】
第五の発明は、人体の恥骨結合部から左右の仙腸関節下部に向かって力を加えて締め付けて固定することを特徴とする骨盤固定帯の固定方法である。
【発明の効果】
【０００９】
今回発明した骨盤固定帯は、両側腸骨翼下部から仙腸関節下部に向けて力を加えて固定するため、仙腸関節の緩みや離開に伴う痛みに効果的である。
【発明を実施するための最良の形態】
【００１０】
妊婦及び産後の女性の腰痛等は妊娠性のホルモンの働きにより、骨盤の関節が緩むことが関係していることがすでにわかっている。また、骨盤を固定することにより腰痛等の症状が緩和することもわかっている。
【００１１】
図１は本発明の骨盤固定帯の平面図である。骨盤固定帯は、人体の左臀部を覆う左臀部帯片３が他の部分１、４、６より太く形成した長方形からなり、人体の腰腹部を巻きつけるように使用するものである。その巻きつけた状態が図２である。図３は、人体の骨盤の骨格を示した図である。
【００１２】
中間骨盤帯片４は、恥骨６の上縁部より２乃至３センチメートル上方の体表部を覆う４乃至６センチメートルの幅にした骨盤固定帯を構成する一部である。これにより、妊娠子宮の圧迫を防ぎ、骨盤関節の一つである恥骨結合部を固定することができる。
【００１３】
左臀部帯片３及び右臀部帯片５は、上前腸骨棘９と大転子１１の間の体表部から仙腸関節７の下部の体表部までを覆う５乃至１１センチメートルの幅にした骨盤固定帯を構成する一部である。これにより、仙腸関節部から出ている筋肉の働きを鈍らせることなく、骨盤関節の一つである仙腸関節を固定することができる。
【００１４】
挿通孔２は、左臀部帯片３のほぼ中央左側に設けられた孔であり、右骨盤帯片６が挿通可能な状態になっている。挿通孔２を挿通した右骨盤帯片６は、着脱可能な状態になっており、体形に合わせて、図２のように中間骨盤帯片４の一部で止められるようになっている。一方の左骨盤帯片１も右骨盤帯片６と逆向きで人体に巻きつき中間骨盤帯片４の一部で止められるようようになっている。左骨盤帯片１及び右骨盤帯片６をそれぞれ引っ張ることで、人体の恥骨結合部１３から左右の仙腸関節下部７に向かって締め付けて固定することが可能となる。
【００１５】
このように人体を一周した骨盤固定帯によって、骨盤の３つの関節を固定することができる。
【図面の簡単な説明】
【００１６】
【図１】骨盤固定帯の平面図である。
【図２】骨盤固定帯を人体に取り付けたときの使用状態図である。
【図３】人体の骨盤を示した図である。
【符号の説明】
【００１７】
１      左骨盤帯片
２      挿通孔
３      左臀部帯片
４      中間骨盤帯片
５      右臀部帯片
６      右骨盤帯片
７      仙腸関節
８      腸骨
９      上前腸骨棘
１０    仙骨
１１    大転子
１２    恥骨
１３    恥骨結合部
【図１】
2005058539.tif 000003
【図２】
2005058539.tif 000004
【図３】
2005058539.tif 000005
(57)【要約】【課題】  この発明は、通信距離を延ばすことができるとともに、コーデックによる遅延時間の増大を防ぐことができる無線伝送システムのための中継装置を提供することを目的とする。【解決手段】  送信機からの無線送信された信号を受信する受信用無線モジュール、受信用無線モジュールによって無線波が受信されたときに、使用可能なチャンネルのうち、受信した無線波のチャンネルと異なるチャンネルであって、空いているものを検索する空きチャンネル検索手段、ならびに空きチャンネル検索手段によって検索された空きチャンネルにチャンネルを変更して、受信用無線モジュールによって受信された信号を無線送信する送信用無線モジュールを備えている。【選択図】  図１
2005142805.tif 000002
【特許請求の範囲】
【請求項１】
送信機からの無線送信された信号を受信する受信用無線モジュール、  受信用無線モジュールによって無線波が受信されたときに、使用可能なチャンネルのうち、受信した無線波のチャンネルと異なるチャンネルであって、空いているものを検索する空きチャンネル検索手段、ならびに
空きチャンネル検索手段によって検索された空きチャンネルにチャンネルを変更して、受信用無線モジュールによって受信された信号を無線送信する送信用無線モジュール、
を備えていることを特徴とする無線伝送システムのための中継装置。
【発明の詳細な説明】
【技術分野】
【０００１】
この発明は、無線ＬＡＮ等を用いた無線伝送システムに利用できる中継装置に関する。
【背景技術】
【０００２】
無線ＬＡＮを用いて映像・音声信号を無線伝送する無線伝送システムが知られている。このような無線伝送システムは、例えば、ＤＶＤプレーヤ、テレビチューナ等の映像・音声ソースと、映像・音声ソースで発生した映像・音声信号を圧縮して無線送信する送信機、送信機からの信号を受信して伸長する受信器と、受信機によって伸長された映像・音声信号を出力するモニタ、スピーカ等の出力装置とから構成されている。
【０００３】
無線ＬＡＮを用いた従来の無線伝送システムでは、１０ｍＷ以下という小電力の電波となるため、通信距離が比較的短いという問題がある。この問題を解消するためには、送信機と受信機との間に、これらと同様な構成の受信機と送信機とからなる中継装置を設置することが考えられるが、価格が高く、コーデックの遅延時間も倍になり、リアルタイム性がなくなり、ユーザは違和感、不快感を感じることになる。
【発明の開示】
【発明が解決しようとする課題】
【０００４】
この発明は、通信距離を延ばすことができるとともに、コーデックによる遅延時間の増大を防ぐことができる無線伝送システムのための中継装置を提供することを目的とする。
【課題を解決するための手段】
【０００５】
請求項１に記載の発明は、送信機からの無線送信された信号を受信する受信用無線モジュール、受信用無線モジュールによって無線波が受信されたときに、使用可能なチャンネルのうち、受信した無線波のチャンネルと異なるチャンネルであって、空いているものを検索する空きチャンネル検索手段、ならびに空きチャンネル検索手段によって検索された空きチャンネルにチャンネルを変更して、受信用無線モジュールによって受信された信号を無線送信する送信用無線モジュールを備えていることを特徴とする。
【発明の効果】
【０００６】
【０００７】
この発明によれば、通信距離を延ばすことができるとともに、コーデックによる遅延時間の増大を防ぐことができるようになる。
【発明を実施するための最良の形態】
【０００８】
以下、図面を参照して、この発明の実施の形態について説明する。
【実施例１】
【０００９】
図１は、無線伝送システムの構成を示している。
【００１０】
実際には、映像信号および音声信号が伝送されるが、説明の便宜上、映像信号の伝送についてのみ説明する。
【００１１】
１は、映像ソースとしてのＤＶＤプレーヤである。２は、ＤＶＤプレーヤ１で発生した映像信号を圧縮して無線送信する送信機である。３は、送信機２から無線送信された圧縮映像信号を受信して無線送信する中継装置である。４は、中継装置３から無線送信された圧縮映像信号を受信して伸長する受信器である。５は、受信機４によって伸長された映像信号を出力するモニタである。
【００１２】
送信機２は、ＤＶＤプレーヤ１で発生した映像信号を圧縮するためのエンコード処理部２１とエンコード処理部２１によって得られた圧縮映像信号を無線ＬＡＮを用いて無線送信するための送信用無線モジュール２２および送信アンテナ２３を備えている。
【００１３】
中継装置３は、送信機２から無線送信された圧縮映像信号を受信するための受信アンテナ３１および受信用無線モジュール３２と、受信用無線モジュール３２によって受信された圧縮映像信号を、その無線周波数を変更して無線送信するための送信用無線モジュール３３および送信アンテナ３４と、制御マイコン３５とを備えている。
【００１４】
制御マイコン３５は、送信機２からの無線送信された圧縮映像信号が受信用無線モジュール３２によって受信されると、使用可能なチャンネル（搬送波周波数）のうち、受信した無線波のチャンネル（搬送波周波数）と異なるチャンネル（搬送波周波数）であって、空いているものを検索する。そして、検索した空きチャンネル（搬送波周波数）を、送信用無線モジュール３３に与える。送信用無線モジュール３３は、制御マイコン３５によって与えられた空きチャンネル（搬送波周波数）にチャンネル（搬送波周波数）を変更して、受信用無線モジュール３２によって受信された圧縮映像信号を無線送信する。
【００１５】
受信機４は、中継装置３から無線送信された圧縮映像信号を受信するための受信アンテナ４１および受信用無線モジュール４２と、受信用無線モジュール４２によって受信された圧縮映像信号を伸長するためのデコード処理部４３を備えている。デコード処理部４３によって得られた映像信号がモニタ５に送られて、表示される。
【図面の簡単な説明】
【００１６】
【図１】無線伝送システムの構成を示すブロック図である
【符号の説明】
【００１７】
１  ＤＶＤプレーヤ
２  送信機
３  中継装置
４  受信機
５  モニタ
３２  受信用無線モジュール
３３  送信用無線モジュール
３５  制御マイコン
【図１】
2005142805.tif 000003
(57)【要約】【課題】  プロセス全体の効率を大幅に向上可能な、新しい金線接合技術を提供する。【解決手段】  半導体回路プロセスを完成したチップ１の外には露出した銅溶接パッド１１を備える。チップ１の銅溶接パッド１１が製造された時、またはその銅溶接酸化物を除去する時に、熱揮発性の耐酸化材料の溶接パッド保護膜１２をチップ１の銅溶接パッド１１上に覆い被せ、銅溶接パッド１１が酸化されないよう保護し、長時間貯蔵放置可能とする。溶接パッドの保護膜１２を除去するプロセスを行わなくてもよい状況で、直接そのチップ１の銅溶接パッド１１に金線接合プロセスを行う。金属線２３と銅溶接パッド１１が接合する時に発生する機械性エネルギー（超音波振動あるいは加圧変形エネルギー）及び熱エネルギーを利用して溶接パッドの保護膜１２を揮発させ、更に金属線２３と銅溶接パッド１１が接触して直接金線接合を行うことが可能である。【選択図】    図２Ａ
2005142417.tif 000002
【特許請求の範囲】
【請求項１】
半導体チップ中の銅溶接パッドの酸化を防止する金線接合プロセスであって、
半導体回路プロセスを完成したチップで、そのチップは外に露出した銅溶接パッドを有し、
熱揮発性のある耐酸化材料の溶接パッド保護膜を上記チップの銅溶接パッド上に覆い被せ、
その保護膜を除去しないで直接金線接合を行い、金属線と銅溶接パッドが接合する時に発生する超音波振動エネルギー、加圧変形エネルギー及び熱エネルギーを利用して保護膜を揮発させ、金属線と銅溶接パッドは新しい共生金属の表面を形成して接続されることを特徴とする半導体チップ中の銅溶接パッドの酸化を解決する金線接合プロセス。
【発明の詳細な説明】
【技術分野】
【０００１】
本発明は、半導体チップ中の金線接合プロセスに関する。
【背景技術】
【０００２】
これまでチップ脚パッドと基板の電極との接続について新しい方法が提出されているが、ワイヤボンディング技術は依然として現在の主な技術である。ワイヤボンディング技術は現在では高速、高精度で行うことができ、それは極めて経済効率のある点対点接続法とも言える。
【０００３】
典型的銅溶接パッドチップのワイヤボンディングプロセスは第一図に示すように、一般チップ１'の外部に露出する銅溶接パッド１１'は酸化しやすいので、その銅溶接パッドの表面層に一層の酸化物の溶接パッド酸化層１２'を形成してその上に覆い被せているが、現在のワイヤボンディング法は往々にその銅溶接パッド１１'上の酸化物を無視し、直接金属線２３'を溶接パッドの酸化層１２'を強制的に突破してワイヤボンディング接合プロセスを行い、もし接点が球状接合である場合は金属線２３'が変形した時に発生する多くの整ったスライド面を利用し、各スライド面の一面で突破された溶接パッドの酸化層１２'を埋め付け、別の面は金属線２３'と銅溶接パッド１１'を銅接合させている。
【発明の開示】
【発明が解決しようとする課題】
【０００４】
しかしながら上述の工法は過去のアルミ溶接パッドのあるワイヤボンディングプロセスを踏襲しているが、アルミと銅の酸化速度が異なり、銅溶接パッドの表層酸化速度は極めて速いので、累積する酸化層は相対して厚くて有効に押し出されず、前記金属線が表面変形した後にアルミ溶接パッドに酸化物を覆い被せる方法を銅溶接パッドに応用した場合、酸化物の覆い被せができない状況が起こりやすく、接点不良の欠点になってしまう。もしそのために銅溶接パッド上の酸化物を除去するプロセスが増えると、また製造効率上の負担になってしまう。
したがって本発明の目的は、プロセス全体の歩留と効率を大幅に向上可能な、新しい金線接合技術を提供することにある。
【課題を解決するための手段】
【０００５】
上述の目的を達成するために本発明の請求項に記載の半導体チップ中の銅溶接パッドの酸化を解決する金線接合プロセスは、以下のプロセスを含む。半導体回路プロセスを完成したチップで、そのチップは外に露出した銅溶接パッドを有する。熱揮発性を備える耐酸化材料の溶接パッド保護膜を上記チップの銅溶接パッド上に覆い被せる。その保護膜を除去しないで直接金線接合を行う。金属線と銅溶接パッドが接合する時に発生する超音波振動エネルギー、加圧変形エネルギー及び熱エネルギーを利用して保護膜を揮発させ、金属線と銅溶接パッドは新しい共生金属の表面を形成して接続される。
【発明を実施するための最良の形態】
【０００６】
以下、本発明の実施例を図面に基づいて説明する。
図２Ａから図２Ｄに示すように、本発明の実施による半導体チップ中の銅溶接パッドの酸化を解決する金線接合プロセスは、そのプロセスには少なくともて次の手順が含まれる。
【０００７】
１．半導体回路プロセスを完成したチップ１を提供し、そのチップ１には外に露出した銅溶接パッド１１を備える。
２．別に上記チップ１の銅溶接パッド１１が製造された時、またはその銅溶接酸化物を除去する時に、熱揮発性のある耐酸化材料の溶接パッド保護膜１２をもって上記チップ１の銅溶接パッド１１上に覆い被せ、その銅溶接パッド１１が空気に酸化されないよう保護し、長時間貯蔵放置可能とする。
３．その溶接パッドの保護膜１２を除去するプロセスを行わなくてもよい状況に於いて、直接そのチップ１の銅溶接パッド１１に金線接合プロセスを行う。金属線２３と銅溶接パッド１１が接合する時に発生する機械性エネルギー（超音波振動エネルギー、加圧変形エネルギー）及び熱エネルギーを利用して溶接パッドの保護膜１２を揮発し、更に金属線２３と銅溶接パッド１１が接触してやや大きい面積の新しく生成した共生金属の表面が形成して接続される。
【０００８】
上記プロセスから分かるように、本実施例は溶接パッドの保護膜を利用し、チップの酸化しやすい銅溶接パッドの表面に覆い被せてそれを保護する。それは保護膜を除去するプロセスを増やさなくても直接金線接合を行うことが可能で、プロセスで発生する熱エネルギーを利用して保護膜を揮発し、それによって酸化物残渣のない清浄な電気接合面を形成する。従来の銅溶接パッドがワイヤボンディングプロセスに於いて銅溶接パッド上の酸化層を清掃する、または直接銅溶接パッドの酸化物を突破する接合を行う時、酸化物残渣が巻き込まれて瑕疵が発生する欠点が解決される。本発明は銅溶接パッドの金線接合のプロセス効率及び歩留を大幅に向上することが可能で、それにより効果及びコストの要求に符合可能となる。
【図面の簡単な説明】
【０００９】
【図１】従来の銅溶接パッドの金線接合プロセスを示す図である。
【図２Ａ】本発明の実施例による銅溶接パッドの金線接合プロセスを示す図である。
【図２Ｂ】本発明の実施例による銅溶接パッドの金線接合プロセスを示す図である。
【図２Ｃ】本発明の実施例による銅溶接パッドの金線接合プロセスを示す図である。
【図２Ｄ】本発明の実施例による銅溶接パッドの金線接合プロセスを示す図である。
【図２Ｅ】図２Ｄの部分拡大図である。
【符号の説明】
【００１０】
１  チップ、１１  銅溶接パッド、１２  保護膜、２３  金属線
【図１】
2005142417.tif 000003
【図２Ａ】
2005142417.tif 000004
【図２Ｂ】
2005142417.tif 000005
【図２Ｃ】
2005142417.tif 000006
【図２Ｄ】
2005142417.tif 000007
【図２Ｅ】
2005142417.tif 000008
(57)【要約】【課題】発電時に白色乱反射板を形成する機能を持たせた太陽電池の集光器を提供する。【解決手段】発電時の白色乱反射面としての調光ガラスと、それに接する透明板の外側面および内部縦断面に貼り付けた板状太陽電池、あるいは、内部に埋め込まれた球状シリコン太陽電池との構成からなることを特徴とする。【選択図】  図１
2005142517.tif 000002
【特許請求の範囲】
【請求項１】
発電時の白色乱反射面としての調光ガラスと、
それに接する透明板の外側面および内部縦断面に貼り付けた板状太陽電池、あるいは、内部に埋め込まれた球状シリコン太陽電池との構成からなる発電時に白色乱反射面を形成する太陽電池の集光器。
【発明の詳細な説明】
【発明の詳細な説明】
【発明の属する技術】
【０００１】  本発明は、発電時に白色乱反射面を形成する機能を持たせた太陽電池の集光器に関するものである。
【背景技術】
【０００２】  太陽電池は、従来、太陽光エネルギーを最大限利用するため、入射光の透過と表面からの反射率を極力抑えてきた。その結果、太陽電池の集光器は透過光を完全に遮断し、表面は光沢のない黒ずんだものとなっている。このため、その設置場所はもっぱら建築物の屋根に限られてきた。近年、ビルや住宅など市街地での太陽電池の普及が進むにつれ、ビルの側壁や採光のための全面ガラス張りにした南向きの窓への集光器の設置が望まれている。しかし、太陽電池の強い遮光作用、反射光抑制作用のゆえに屋根以外に集光器の設置に適した場所は見当たらず、また、ダークブルーの太陽電池の色が浮き出た集光器が街のいたる所に敷き詰められることによって、景観を台無しにしてしまうとの声が大きくなり、太陽電池の集光面積の拡大と採光、環境との調和が新たな問題となってきている。これに対するものとして、アモルファスシリコン太陽電池の薄膜に直径数百μｍの微小孔を開けこの微小孔を通して裏面に光を透過させるシースルー太陽電池が提案された。また、反射防止の効果を一部犠牲にして、反射防止膜の厚さを変化させ、茶色、金色、緑色などの干渉色を生じさせる方法が用いられている。蛍光アクリル版を保護材とするモジュールも提案されている。しかし、いずれも問題の解決からは程遠く集光面積の拡大をもたらしていない。
【発明が解決しようとする課題】
【０００３】  本発明は、集光面積の拡大とともにクローズアップされ、太陽電池の普及を図る上で大きな障害となりつつある問題、すなわち、自然の景観を損ない、ビルや住宅など市街地における、建築物・構造体に対する採光、美観への障害となっている、太陽電池の表面が透過光を完全に遮断し光沢のない黒ずんだ面であるという問題を解決するためになされたものである。
【課題を解決するための手段】
【０００４】上記の問題を解決するために本発明の集光器では太陽電池表面と異なる集光面を設ける。集光面は透明板とそれに接する調光ガラスとからなり、調光ガラスにおいて外部からの制御により光の直進透過と乱反射の機能を切り替える。すなわち、発電時には、集光面を外部からの制御により乱反射光を発する白色の平面とする。調光ガラスの制御には媒体の光学的特性を変化しうる外部エネルギーを利用する。例えば、電場、磁場、光、熱、応力・音場があげられる。媒体としてはガラス、セラミックスや高分子樹脂などの固体と、有機液体、無機液体、ゲルなどの単体や混合物が挙げられる。反射率が１に近い白色の反射面で乱反射した光は一部の透明板表面から散逸する光を除いて、透明板−空気界面で全反射することにより透明板内に閉じ込められる。これを透明板外側面および内部縦断面に貼り付けた板状シリコン、あるいは、透明板内部に埋め込まれた球状シリコンの太陽電池で受光し発電する。従って発電時、集光面は穏やかな乱反射光を発する。一方、発電休止時にはこの白色乱反射面は外部からの制御で透明化し、透明板に続く光の直進透過面とする。
【作用】
【０００５】  本発明は、電池表面とは異なる集光面において入射光の直進透過と乱反射の機能の切り替え可能な太陽電池集光器である。したがって、集光面を穏やかな乱反射光を発する白色の平面とし得る。さらに、外部からの制御で白色乱反射面を透明な直進透過面に変換しうるため、曇天や雨天など集光に適さない発電休止時には透明化した集光面より、ビルの下地のカラフルな壁の色を浮き立たせることができる。また、この変換機能により窓ガラス設置場所を集光面として利用することが可能となる。すなわち曇天や雨天など発電効率の低い時には発電を休止し集光面を透明化することにより、大気中の散乱光を十分室内に取り込むことができる。一方、晴天で発電効率の高い時に集光面後面を白色乱反射面とし、前方への一部の散逸光を除いて、強い入射光の大部分を発電に利用することが可能となる。また、採光が必要な場合には乱反射面ではなく散乱面として適度な散乱光を後方に透過させることができる。
【実施例】
【０００６】  本発明の実施例について図面を参照しながら詳細に説明する。
集光器は透明板と以下、それに接する調光ガラスとからなり、調光ガラスにおいて外部からの制御により光の直進透過と乱反射の機能を切り替える。すなわち、発電時には、調光ガラス１を乱反射光を発する白色の平板とする。反射率が１に近い白色の反射面で乱反射した光は一部の透明板２の表面から散逸する光を除いて、透明板−空気界面で全反射することにより透明板２内に閉じ込められる。これを図１に示すような透明板２の外側面および内部縦断面に貼り付けた板状シリコン太陽電池３、あるいは、図２に示すような透明板２の内部に埋め込まれた球状シリコン太陽電池４で受光し発電する。従って発電時、集光面は穏やかな乱反射光を発する。一方、発電休止時には調光ガラス１は外部からの制御で透明化し、透明板２に続く光の透過面とする。なお、板状シリコン太陽電池は表裏両面とも受光面となっている。
【発明の効果】
【０００７】  太陽光発電の費用の中では電池の材料費が最も大きな割合を占めているが、本研究で開発する集光器では使用電池面積を集光面積に比べかなり小さく抑えることができ経済的である。また、すべての光を発電に用いて、その一部を再び変換して照明に用いるよりも太陽光の一部を直接照明に利用する方が効率的である。
この集光器の開発により、従来型の太陽電池の集光方式では不可能であった景観上太陽光を遮断出来ない建築物、構造体を覆う形で太陽電池の設置が可能となり、太陽光発電の普及に大きく貢献するものと期待される。
【図面の簡単な説明】
【図１】  本発明の実施例による板状シリコン太陽電池を用いた集光器を示す図である。
【図２】  本発明の実施例による球状シリコンの太陽電池を用いた集光器を示す図である。
【符号の説明】
１調光ガラス
２透明板
３板状シリコン太陽電池
４球状シリコン太陽電池
【図１】
2005142517.tif 000003
【図２】
2005142517.tif 000004
(57)【要約】【課題】プレーナ型サイリスタに於いてはゲート、カソード間の主表面での接合が非常に良く出来るため、低電流でのＮＰＮトランジスタ部分の電流増幅率の電流依存性が小さい。このためにトリガー電流が小さくなりやすい。トリガー電流を大きくすると保持電流が大きくなって高い歩留まりで満足すべき特性を得ることが難しい。ＩＧＴを大きくしなおＩＨを低く制御する生産性の高い製法を確立することが課題である。【解決手段】解決方法はプレーナ型サイリスタの製法に於いてゲート及びカソードの拡散が終了した後主表面上のゲート及びカソード上及び裏面の酸化膜を剥離し、その部分にカソード表面濃度よりは薄く、ゲート表面濃度よりは濃い高濃度Ｐ型拡散を行い、その後電極窓明けを行って電極を形成し完成させる方法である。この最後の高濃度拡散により、ゲート、カソード間にはＰ＋／Ｎ＋接合とＰ／Ｎ＋接合が並列に形成され、低電流領域でのＮＰＮトランジスタの電流増幅率を低下させ、それにより比較的高いトリガー電流、ＩＧＴと低い保持電流の両者を安定して得ることが出来る。【選択図】図２
2005142518.tif 000002
【特許請求の範囲】
【請求項１】
プレーナ型サイリスタの製造において、主接合であるゲート拡散（Ｐ領域）およびその中に作るカソード部分の拡散（Ｎ領域）終了後、カソード部分及び隣接するゲート部分の表面酸化膜を剥離し、ゲート領域外方の主ＰＮ接合上の酸化膜はそのまま保存する。その後、カソードとゲート領域境界の表面に現れたＰＮ接合を含む領域にカソードの表面濃度よりも低い表面濃度でかつゲート拡散の表面濃度より高い表面濃度のＰ型拡散を行う。それによって形成された新たな酸化膜をゲートとカソード領域境界表面のＰＮ接合を保護する酸化膜として残し、ゲート及びカソードの電極を形成する製造方法。
【請求項２】
上記請求項１において最後の高濃度Ｐ型拡散で出来る酸化膜をゲート及びカソード上から除去する製法。
【発明の詳細な説明】
【発明の詳細な説明】
【技術分野】
【０００１】  本発明はプレーナ型サイリスタにおいて，サイリスタをＯＮさせるトリガー電流ＩＧＴをある程度高い値に維持し、なおかつサイリスタのＯＮ保持電流ＩＨを小さい値になるように制御する技術を提供するものである。これにより使いやすい特性値のサイリスタを歩留まり良く生産できるようになる。
【背景技術】
【０００２】  従来のプレーナサイリスタではゲート拡散後プレーナ技術でゲート領域内のカソード部分に酸化膜窓明けを行い、カソードの高濃度Ｎ型拡散を行い、ＰＮ接合を覆う酸化膜をそのまま保護膜として残してきた。これは優れた方法であるが、表面再結合速度が小さく表面部分のＮＰＮトランジスタの電流増幅率αＮＰＮの電流依存性が小さいために小さなトリガー電流ＩＧＴでＯＮになりやすい。
これを改善する別の手段はゲートとカソードの間に高い抵抗を内蔵させる方法がある。ＰＮ接合は電圧に対してｅｘｐｏｎｅｎｔｉａｌな電流特性を持っているために大きな電流になれば内蔵高抵抗の影響はなくなるので、電流増幅率の電流依存性をこれによって付与できる。しかしこの方法は１００ｋΩもの抵抗を内蔵させなければならないこともあり、制御が容易ではない。
【発明の開示】
【本発明が解決しようとする課題】
【０００３】  本発明はプレーナ型サイリスタに於いてαＮＰＮの電流依存性を増大させ、ＩＧＴをある程度高い値に安定的にできる様にして安定なサイリスタ動作を保証し、なお内部の電流増幅率は高くして、ＩＨを低い値に保つという課題を解決しようとするものである。同時にプレーナの高い信頼性を保持し、これらを実現するための制御の容易な生産性の高い製造方法を提供しようとするものである。
【課題を解決するための手段】
【０００４】  本発明は上に述べた課題を解決するための新規な手段を提供しようとするものである。第２図には本発明によるプレーナサイリスタの断面図を示してある。すなわち、通常のプレーナサイリスタの製法に従ってカソード拡散を行うところまでは従来と同じである。（例えばゲート拡散深さは約４０ミクロン）その後ゲート及びカソード上に出来る酸化膜をゲート、アノード間のＰＮ接合上の酸化膜は残して剥離し、そこにカソードの表面濃度よりは低く、ゲートの表面濃度よりは高い高濃度のＰ型拡散（図２、１０）（例えば１１００℃）を行い、言わばＰ＋／Ｎ＋の高濃度ＰＮ接合を形成し、これをカソード、ゲート間接合としようとするものである。この最後のＰ型拡散によって出来る酸化膜はカソード、ゲート間のＰＮ接合保護膜として利用できる（図２、９）。電極窓あけは従来どおりに行うことが出来る。酸化膜はゲート、カソード上で一様であるから生産的にも用意である。
このようにして出来たＰＮ接合はＰ＋／Ｎ＋接合とＮ＋／Ｐ接合の両者から成り立っていることが図２の４，５およびゲート内の１０から分かる。それぞれの接合の電圧／電流特性を図３に示す。実際の接合特性は両者の和になる。Ｎ＋Ｐ接合では図３，１１に示すように、約０．６ＶのＶＧＫから電流が増加し始める。Ｎ＋Ｐ＋接合では図３、１２に示すように、もっと低い電圧でもＮ＋Ｐ接合より多くの電流が流れる。すなわちＮ＋／Ｐ＋接合では小電流領域で多くの非注入電流、バンド間漏洩電流が流れ、電流増幅率が高くならない。またゲート領域に注入された電子もＰ＋領域での再結合の増加により、小電流領域での電流増幅率を低下させる。大きな電流領域では正規の注入電流が増加し、電流増幅率は高くなる。このようにして電流増幅率の電流依存性を高めることが出来る。
このプロセスはアノード領域のコンタクト抵抗を下げるための高濃度Ｐ型拡散（図２の１０、アノード部）と共通化が可能である。
またゲート、カソード上の酸化膜剥離のマスクはゲート拡散マスクと共用が可能である。
この方法の欠点は通常のプレーナサイリスタに比し、マスク工程が１工程増えることである。ただし、薄膜高抵抗のＲＧＫを導入する工程に比べれば同じマスク工程数である。
これにより、１Ａ級のサイリスタではＩＨを２〜３ｍＡにし、ＩＧＴを数マイクロアンペア以上に制御できる。
【発明の効果】
【０００５】  本発明により、プレーナ型サイリスタの製造においてＩＧＴとＩＨの従来の相関を変え、ある程度大きいＩＧＴでなおかつ小さいＩＨのサイリスタを量産することが出来、制御の難しい高抵抗薄膜の工程を省くことが出来る。これにより、簡単な設備で高性能なプレーナサイリスタを量産することが出来る。
同時にゲート部のコンタクト抵抗が減少するので瞬時ゲート電力（ｉ２ｔ）の増加が期待できる。
【図面の簡単な説明】
【０００６】
【図１】従来の双方向ブロック型プレーナサイリスタの断面構造
【図２】本発明による双方向ブロック型プレーナサイリスタの断面構造
【図３】本発明によるゲート、カソード間ＰＮ接合電流、電圧特性の説明図
【符号の説明】
【０００７】  １．カソード電極
２．ゲート電極
２’．ゲート電極に連続しているチップの反対側部分
３．アノード電極
３’．アノードと接続する表面部分の電極
４．カソード拡散領域（Ｎ＋）
５．ゲート拡散領域（Ｐ）
６．基板（Ｎ）
７．分離拡散領域（Ｐ）
８．アノード拡散領域（Ｐ）
９．ＳｉＯ２
１０．高濃度Ｐ拡散領域
１１．Ｎ＋Ｐ接合の電圧対電流特性
１２．Ｎ＋Ｐ＋接合の電圧対電流特性
【図１】
2005142518.tif 000003
【図２】
2005142518.tif 000004
【図３】
2005142518.tif 000005
(57)【要約】【課題】本発明は、容易にＰＣカードの着脱を行うことが可能な薄型ディスプレイ装置を提供することを目的とするものである。【解決手段】ディスプレイユニット及びこのディスプレイユニットに画像を表示するための駆動回路部を前面カバー２と後面カバー３とからなる筐体１内に収納することにより構成され、かつ後面カバー３に開閉可能な開閉扉６を設け、その開閉扉６の背面に前記駆動回路部に電気的に接続されるＰＣカードスロット部５を配設した。【選択図】図１
2005142195.tif 000002
【特許請求の範囲】
【請求項１】
ディスプレイユニット及びこのディスプレイユニットに画像を表示するための駆動回路部を前面カバーと後面カバーとからなる筐体内に収納することにより構成され、かつ後面カバーに開閉可能な開閉扉を設け、その開閉扉の背面に前記駆動回路部に電気的に接続されるＰＣカードスロット部を配設した薄型ディスプレイ装置。
【発明の詳細な説明】
【技術分野】
【０００１】
本発明は、プラズマディスプレイなどの薄型ディスプレイ装置に関するものである。
【背景技術】
【０００２】
近年、プラズマディスプレイパネル（ＰＤＰ）を用いたプラズマディスプレイは、視認性に優れた表示パネル（薄型表示デバイス）として注目されており、高精細化および大画面化が進められている。
【０００３】
一方、デジタル放送の開始に伴い、デジタル放送の暗号化された情報を復号するために、これらの薄型ディスプレイ装置にＰＣカードを着脱自在に設ける構造が要求されている。
【０００４】
このＰＤＰなどの薄型ディスプレイ装置におけるＰＣカードスロット部の取り付け構造としては、特許文献１に記載されたものなどが知られている。
【０００５】
この従来の装置においては、ＰＤＰなどの表示部の側面でスピーカーなどの音声出力部の下側に着脱自在のＰＣカード部が配置されている。このような構造では、ＰＤＰなどの薄型ディスプレイ装置の正面から容易にＰＣカードの着脱を行うことができる。
【特許文献１】特開平１１−２３７８６５号公報
【発明の開示】
【発明が解決しようとする課題】
【０００６】
しかしながら、上記のような構成では、テレビチューナー一体型で表示部の左右にスピーカーを内蔵したタイプであるＰＤＰなどの薄型ディスプレイ装置においては、スピーカーが筐体内部にあるため、ＰＣカードスロット部をＰＤＰなどの薄型ディスプレイ装置の側面に配置できず、後面に配置しようとすると容易にＰＣカードの着脱ができないという問題があった。
【０００７】
本発明はこのような課題を解決し、容易にＰＣカードの着脱を行うことが可能な薄型ディスプレイ装置を提供することを目的とする。
【課題を解決するための手段】
【０００８】
上記目的を達成するために本発明は、ディスプレイユニット及びこのディスプレイユニットに画像を表示するための駆動回路部を前面カバーと後面カバーとからなる筐体内に収納することにより構成され、かつ後面カバーに開閉可能な開閉扉を設け、その開閉扉の背面に前記駆動回路部に電気的に接続されるＰＣカードスロット部を配設したものである。
【発明の効果】
【０００９】
本発明の薄型ディスプレイ装置によれば、後面カバーに開閉可能な開閉扉を設け、その開閉扉の背面に前記駆動回路部に電気的に接続されるＰＣカードスロット部を配設したもので、あらゆる設置状態においても容易にＰＣカードの着脱を行うことが可能になる。
【発明を実施するための最良の形態】
【００１０】
以下、本発明の一実施の形態による薄型ディスプレイ装置について、図１、図２を用いて説明する。
【００１１】
図１に本発明の一実施の形態によるＰＤＰなどの薄型ディスプレイ装置を背面から見た状態を示し、図２にその要部を拡大して示している。図において、１は薄型ディスプレイ装置の筐体であり、この筐体１は前面カバー２と後面カバー３とからなり、内部にディスプレイユニット及びこのディスプレイユニットに画像を表示するための駆動回路部が収納されている。また、後面カバー３の下部には、前記駆動回路部に映像信号を入力するための接続端子部４が配置されている。
【００１２】
５は前記駆動回路部に電気的に接続されるＰＣカードスロット部で、このＰＣカードスロット部５は、前記後面カバー３の接続端子部４の上方に開閉可能な金属製または樹脂製の開閉扉６を設け、その開閉扉６の背面にＰＣカード（図示せず）が着脱自在に装着されるＰＣカード用コネクタ７を取付けることにより配設されている。すなわち、ＰＣカードを着脱する際、ＰＣカードスロット部５の開閉扉６を０°〜１８０°付近まで回動することで、あらゆる角度からの着脱が可能となる。
【産業上の利用可能性】
【００１３】
本発明によれば、あらゆる設置状態においても容易にＰＣカードの着脱を行うことが可能な構造とすることができ、使い勝手のよい薄型ディスプレイ装置を提供することができる。
【図面の簡単な説明】
【００１４】
【図１】本発明の一実施の形態による薄型ディスプレイ装置を背面側から見た斜視図
【図２】同装置の要部構成を示す拡大斜視図
【符号の説明】
【００１５】
１  筐体
２  前面カバー
３  後面カバー
５  ＰＣカードスロット部
６  開閉扉
【図１】
2005142195.tif 000003
【図２】
2005142195.tif 000004